(57)【特許請求の範囲】
【請求項１】
機体吸込口と複数の第一の機体吹出口を対向する二面に有する箱状の機体に、
前記機体吸込口から前記機体吹出口に至る流路を有し、
前記流路に片吸込型送風機を設け、
前記片吸込型送風機はファン吸込口側にモーターを配設し、
前記モーターを前記流路内に臨ませたダクトファンであって、
前記片吸込型送風機の反モーター側のファンケーシング側板を前記機体の天面板近傍に対向し、
前記ファンケーシングの幅は、前記機体吸込口の径よりも小さく、
前記第一の機体吹出口と前記片吸込型送風機のファン吐出口との間に、前記ファン吐出口の開口部を有したファン吐出口隔壁を設け、
前記第一の機体吹出口と前記ファン吐出口との間に吹出空気室を形成し、
この吹出空気室中心に対しファン吐出口中心を前記片吸込型送風機のスクロールの舌部の反対側にオフセット配置したことを特徴とするダクトファン。
【請求項２】
複数の第一の機体吹出口を上下２段に配列し、片吸込型送風機のファン吐出口に近く位置する上段の第一の機体吹出口の数を、他方の下段の第一の機体吹出口の数より多くしたことを特徴とする請求項１記載のダクトファン。
【請求項３】
ファン吐出口隔壁を吹出空気室の断面積が第一の機体吹出口に向かって拡大する方向に傾斜させて形成したことを特徴とする請求項２記載のダクトファン。
【請求項４】
ファン吐出口隔壁をファン吸込口に向かうに従って下方に傾斜させて形成したことを特徴とする請求項１または２記載のダクトファン。
【請求項５】
片吸込型送風機のスクロールの反舌部側平坦部を、機体吸込口から第一の機体吹出口までを結ぶ横面板と一体で形成したことを特徴とする請求項１〜４のいずれかに記載のダクトファン。
【請求項６】
機体吸込口から第一の機体吹出口までを結ぶ横面板に複数の第二の機体吹出口を設けたこ
とを特徴とする請求項１〜５のいずれかに記載のダクトファン。
【請求項７】
第二の機体吹出口と第一の機体吹出口を異なる開口面積としたことを特徴とする請求項６記載のダクトファン。
【請求項８】
第二の機体吹出口を第一の機体吹出口より大きい開口面積としたことを特徴とする請求項６記載のダクトファン。
【請求項９】
第二の機体吹出口を通過する風量と第一の機体吹出口を通過する風量を略同等としたことを特徴とする請求項６記載のダクトファン。
【請求項１０】
ファン吐出口隔壁にスクロールの舌部から横面板の間で少なくとも１箇所の曲折部を設けたことを特徴とする請求項６〜９のいずれかに記載のダクトファン。
【請求項１１】
吹出空気室の内面に吸音材を有したことを特徴とする請求項１〜１０のいずれかに記載のダクトファン。
【発明の詳細な説明】
【技術分野】
【０００１】
本発明は、建物の天井裏等の空間に配置し、室外から室内へダクトを介して給気換気用に使用され、特に高層マンション等の天井裏の狭い空間に設置するダクトファンに関する。
【背景技術】
【０００２】
従来、一般居住空間のダクトファンの一例としては、図１０〜図１２に示されるものが知られている（例えば、特許文献１参照）。
【０００３】
以下、その構成について図１０〜図１２を参照しながら説明する。
【０００４】
図１０〜図１２に示すように、懐の深い天井裏１０１において機体吸込口１０２に吸込側ダクト１０３、機体吹出口１０４に吹出側ダクト１０５を接続して設置される箱状の機体１０６がある。機体１０６は、吸込側に機体吸込口１０２、吐出側に機体吹出口１０４、機体１０６の内部にファンケーシング１０７を有した片吸込型送風機１０８、空気清浄フィルター１０９を設けた構成となっている。そして、機体１０６を運転すると、室外１１０の新鮮な空気が吸込側ダクト１０３を介して機体１０６に吸入され、片吸込型送風機１０８、空気清浄フィルター１０９、吹出側ダクト１０５を通過した後、室内１１１へ給気されていた。
【特許文献１】特開２００１−２７２０７４号公報
【発明の開示】
【発明が解決しようとする課題】
【０００５】
このような従来の居住空間の換気装置であるダクトファンでは、ファン吸込口に羽根車の中心軸の方向の吸込流成分を多くするための風路を広く必要とし、またファン吐出口からの吹出の圧力損失を低減してファン能力を発揮しながら複数の機体吹出口の風量をおのおの均一にするため、ファン吐出口から機体吹出口までの吹出空気室を広く必要とし、広い吹出空気室を有効に利用するようフィルターを吹出空気室に配置していた。これにより機体の高さ寸法が必然的に高くなっていたという課題がある。また、近年の高層マンションにおいては、室内を広く見せるため床面から天井材までを高く取る市場動向があり、天井裏の寸法の確保が難しく、寸法の低い天井裏に入るダクトファンが要求されている。
【０００６】
本発明は、このような従来の課題を解決するものであり、片吸込型送風機を組み込み必要風量を確保しながらも、薄型コンパクトなダクトファンを提供することを目的としている。
【課題を解決するための手段】
【０００７】
本発明のダクトファンは上記目的を達成するために、機体吸込口と複数の第一の機体吹出口を対向する二面に有する箱状の機体に、前記機体吸込口から前記機体吹出口に至る流路を有し、前記流路に片吸込型送風機を設け、前記片吸込型送風機はファン吸込口側にモーターを配設し、前記モーターを前記流路内に臨ませたダクトファンであって、前記片吸込型送風機の反モーター側のファンケーシング側板を前記機体の天面板近傍に対向し、前記ファンケーシングの幅は、前記機体吸込口の径よりも小さく、前記第一の機体吹出口と前記片吸込型送風機のファン吐出口との間に、前記ファン吐出口の開口部を有したファン吐出口隔壁を設け、前記第一の機体吹出口と前記ファン吐出口との間に吹出空気室を形成し、吹出空気室中心に対しファン吐出口中心を前記片吸込型送風機のスクロールの舌部の反対側にオフセット配置したものである。
【０００８】
また、他の手段は、複数の第一の機体吹出口を上下２段に配列し、片吸込型送風機のファン吐出口に近く位置する上段の第一の機体吹出口の数を、他方の下段の第一の機体吹出口の数より多くしたものである。
【０００９】
また、他の手段は、ファン吐出口隔壁を吹出空気室の断面積が第一の機体吹出口に向かって拡大する方向に傾斜させて形成したものである。
【００１０】
また、他の手段は、ファン吐出口隔壁をファン吸込口に向かうに従って下方に傾斜させて形成したものである。
【００１１】
また、他の手段は、片吸込型送風機のスクロールの反舌部側平坦部を、機体吸込口から第一の機体吹出口までを結ぶ横面板と一体で形成したものである。
【００１２】
また、他の手段は、機体吸込口から第一の機体吹出口までを結ぶ横面板に複数の第二の機体吹出口を設けたものである。
【００１３】
また、他の手段は、第二の機体吹出口と第一の機体吹出口を異なる開口面積としたものである。
【００１４】
また、他の手段は、第二の機体吹出口を第一の機体吹出口より大きい開口面積としたものである。
【００１５】
また、他の手段は、第二の機体吹出口を通過する風量と第一の機体吹出口を通過する風量を略同等としたものである。
【００１６】
また、他の手段は、ファン吐出口隔壁にスクロールの舌部から横面板の間で少なくとも１箇所の曲折部を設けたものである。
【００１７】
また、他の手段は、吹出空気室の内面に吸音材を有したものである。
【発明の効果】
【００１８】
本発明によれば、片吸込型送風機のファン吐出口と複数の機体吹出口の間に吹出空気室を設け、ファン吐出口中心を吹出空気室中心に対しオフセット配置したことにより、ファン吐出口からの吹出気流の圧力損失を低減してファン能力を発揮しながら複数の機体吹出口の風量をおのおの均一にできる効果があり、高層マンションのような低い天井裏内に納まるように薄型化できる効果のあるダクトファンを提供できる。
【発明を実施するための最良の形態】
【００１９】
本発明の請求項１記載のダクトファンは、機体吸込口と複数の第一の機体吹出口を対向する二面に有する箱状の機体に、前記機体吸込口から前記機体吹出口に至る流路を有し、前記流路に片吸込型送風機を設け、前記片吸込型送風機はファン吸込口側にモーターを配設し、前記モーターを前記流路内に臨ませたダクトファンであって、前記片吸込型送風機の反モーター側のファンケーシング側板を前記機体の天面板近傍に対向し、前記ファンケーシングの幅は、前記機体吸込口の径よりも小さく、前記第一の機体吹出口と前記片吸込型送風機のファン吐出口との間に、前記ファン吐出口の開口部を有したファン吐出口隔壁を設け、前記第一の機体吹出口と前記ファン吐出口との間に吹出空気室を形成し、吹出空気室中心に対しファン吐出口中心を前記片吸込型送風機のスクロールの舌部の反対側にオフセット配置したものである。これにより、複数の第一の機体吹出口の一部に気流が片寄ることでの圧力損失を発生することなく、複数の第一の機
体吹出口からおのおの均等に配分送風しながら、機体の高さ寸法の薄型化を図ることがで
きるという作用を有する。
【００２０】
また、本発明の請求項２記載のダクトファンは、複数の第一の機体吹出口を上下２段に配列し、片吸込型送風機のファン吐出口に近く位置する上段の第一の機体吹出口の数を、他方の下段の第一の機体吹出口の数より多くして構成されたものである。これにより、複数の第一の機体吹出口の一部に気流が片寄ることでの圧力損失を発生することなく、複数の第一の機体吹出口からおのおの均等に配分送風することができるという作用を有する。
【００２１】
また、本発明の請求項３記載のダクトファンは、ファン吐出口隔壁を吹出空気室の断面積が第一の機体吹出口に向かって拡大する方向に傾斜させて形成して構成されたものである。これにより、複数の第一の機体吹出口に気流が流れやすくなり、吹き出し部分の抵抗を少なくでき風量を確保することができるという作用を有する。
【００２２】
また、本発明の請求項４記載のダクトファンは、ファン吐出口隔壁をファン吸込口に向かうに従って下方に傾斜させて形成して構成されたものである。これにより、吸い込み部分の抵抗を少なくでき風量を確保できるという作用を有する。
【００２３】
また、本発明の請求項５記載のダクトファンは、片吸込型送風機のスクロールの反舌部側平坦部を、機体吸込口から第一の機体吹出口までを結ぶ横面板と一体で形成して構成されたものである。これにより、材料を削減することができるという作用を有する。
【００２４】
また、本発明の請求項６記載のダクトファンは、機体吸込口から第一の機体吹出口までを結ぶ横面板に複数の第二の機体吹出口を設けて構成されたものである。これにより、排気風量に応じた大風量の給気が可能となり、給気と排気の換気バランスを均等にすることができるという作用を有する。
【００２５】
また、本発明の請求項７記載のダクトファンは、第二の機体吹出口と第一の機体吹出口を異なる開口面積として構成されたものである。これにより、排気風量に応じた大風量の給気が可能となり、給気と排気の換気バランスを均等にすることができるという作用を有する。
【００２６】
また、本発明の請求項８記載のダクトファンは、第二の機体吹出口を第一の機体吹出口より大きい開口面積として構成されたものである。これにより、排気風量に応じた大風量の給気が可能となり、給気と排気の換気バランスを均等にすることができるという作用を有する。
【００２７】
また、本発明の請求項９記載のダクトファンは、第二の機体吹出口を通過する風量と第一の機体吹出口を通過する風量を略同等として構成されたものである。これにより、排気風量に応じた大風量の給気が可能となり、給気と排気の換気バランスを均等にすることができるという作用を有する。
【００２８】
また、本発明の請求項１０記載のダクトファンは、ファン吐出口隔壁にスクロールの舌部から横面板の間で少なくとも１箇所の曲折部を設けて構成されたものである。これにより、第２の機体吹出口の吹き出し部分の抵抗を少なくでき風量を確保できるという作用を有する。
【００２９】
また、本発明の請求項１１記載のダクトファンは、吹出空気室の内面に吸音材を有して構成されたものである。これにより、低騒音にできるという作用を有する。
【００３０】
以下、本発明の実施の形態について図面を参照しながら説明する。
【００３１】
（実施の形態１）
本発明の実施例１について、図１〜図３に基づいて説明する。図１は本発明の実施の形態１の側面透視図、図２は本発明の実施の形態１の平面透視図、図３は本発明の実施例１の設置状態を示す側面図である。
【００３２】
図１に示すように、機体吸込口１と複数の第一の機体吹出口２を対向する二面に箱状の機体３を有している。前記機体３には、前記機体吸込口１に吸込側ダクト４を接続する吸込アダプター５、および複数の前記第一の機体吹出口２に吹出側ダクト６を接続する吹出アダプター７を配している。前記機体３の内部には、前記機体吸込口１から前記第一の機体吹出口２に至る流路８を有し、その流路８に片吸込型送風機９と空気清浄フィルター１０を内蔵している。前記片吸込型送風機９は、ファン吸込口１１側に羽根車１２を取り付けたモーター１３を有し、前記片吸込型送風機９の反モーター側のファンケーシング側板１４を前記機体３の天面板１５近傍に対向して取り付けている。前記片吸込型送風機９のファン吐出口１６に、前記ファン吐出口１６の開口部を有したファン吐出口隔壁１７を機体吹出口板１８と対向して設け、前記ファン吐出口隔壁１７と前記機体吹出口板１８と前記天面板１５と底面板１９と横面板２０とで囲まれた空間である吹出空気室２１を、前記ファン吐出口１６と前記機体吹出口板１８との間に有している。
【００３３】
また前記モーター１３は前記流路８内に配設しており、前記空気清浄フィルター１０は機体吸込口板２２上に有した前記機体吸込口１と前記ファン吸込口１１の間の前記流路８内に配設している。なお、前記片吸込型送風機９は前記機体吸込口１の径より小さいファンケーシング幅２３を用いている。
【００３４】
また図２に示すように、複数の前記第一の機体吹出口２は、前記機体吹出口板１８に略等ピッチで配置されている。これは、空調換気設計の際、前記第一の機体吹出口２からは前記片吸込型送風機９の風量をおのおの均等に配分送風し換気むらをなくすことが制約条件となっているためである。また、複数の前記第一の機体吹出口２のおのおのの距離を離すことで、前記第一の機体吹出口２に複数の前記吹出側ダクト６を施工する際の作業スペースを確保するためである。
【００３５】
また、ファン吐出口中心２５は吹出空気室中心２６に対し舌部２４の反対側にオフセットして配置しており、前記ファン吐出口隔壁１７上の前記片吸込型送風機９の前記ファン吐出口１６からの送風は前記舌部２４に沿って流れ、前記吹出空気室２１を介して前記機体吹出口板１８近傍では前記吹出空気室中心２６に向かって送風する。
【００３６】
なお前記ファン吐出口隔壁１７の形状は、前記片吸込型送風機９のスクロール２７の延長を、前記ファン吐出口１６から前記横面板２０に向けて折り曲げて形成した一体構造としているため、部品点数を少なくすることができ安価な製作を可能としている。
【００３７】
上記構成においてダクトファンを運転すると、図３に示すように、天井裏２８に設置された前記機体３に内蔵した前記片吸込型送風機９が運転し、室外２９の空気は前記吸込側ダクト４を通り、前記流路８を介して前記片吸込型送風機９に吸い込まれ、前記吹出空気室２１を介して前記吹出側ダクト６を通り室内３０に排気される。
【００３８】
その運転の際の気流の流れは、図１、図２に示すように、前記機体吸込口１から吸い込んだ気流は、モーター下部３１の方向に流れ、前記片吸込型送風機９の前記羽根車１２の中心軸方向に吸い込まれ前記ファン吸込口１１に流入される。そして、前記ファン吐出口１６から吹き出された気流は、前記吹出空気室２１を通り複数の前記第一の機体吹出口２に向けて吹き出す。ここで図２において、前記ファン吐出口１６から吹き出される主吐出気流３２は前記舌部２４側に向かって流れ、前記吹出空気室２１の空間を流路として前記ファン吐出口中心２５と前記吹出空気室中心２６が段違いの構造になっているため、複数の前記第一の機体吹出口２の一部に気流が片寄ることでの圧力損失を発生することなく、前記第一の機体吹出口２からはおのおの均等に配分送風される。
【００３９】
なお前記空気清浄フィルター１０の圧力損失特性に応じて、前記羽根車１２の特性を高圧力仕様とするほど、前記片吸込型送風機９の前記ファン吐出口１６からの前記主吐出気流３２の方向が前記舌部２４側に強く向かう傾向がある。
【００４０】
また前記機体３の薄型化のため、前記片吸込型送風機９を前記機体吸込口１の径より小さい前記ファンケーシング幅２３を用い羽根幅を狭くした分、羽根径を大きくし風量を確保した場合、前記機体３の高さ寸法を拡大することなく前記片吸込型送風機９の前記スクロ−ル２７を前記横面板２０の近傍まで拡大できる。さらに前記ファン吸込口１１の面積を大きくでき前記空気清浄フィルター１０の面積と近づくことで、前記空気清浄フィルター１０近傍での風速むらも抑えられ、圧力損失を低減し風量を確保できる。
【００４１】
これらのことから、機体の高さ寸法３３の薄型化を図ることが可能なダクトファンを提供することができる。
【００４２】
また、前記片吸込型送風機９が前記機体吸込口１の中心から天面に偏って配置されているため、前記機体吸込口１から入った空気が前記片吸込型送風機９の背面に直接当たらない構成としているため、吸込み部分の抵抗を少なくでき、さらに前記羽根車１２の中心軸の方向に空気を吸い込むために必要な前記ファン吸込口１１の前面の空間も確保できるため、吸込み部分の抵抗を少なくでき、風量を確保しながら前記機体の高さ寸法３３を抑えることができる。
【００４３】
またメンテナンスをする際には、図３に示すように、前記機体３の真下に天井材３４に設けた天井点検口３５を開き、前記底面板１９を取り外し、前記機体３の内部を点検する。そして、前記モーター１３は前記底面板１９側に配置されているため、前記天井点検口３５より前記底面板１９を取り外し、前記モーター１３と前記羽根車１２と前記空気清浄フィルター１０を同時に点検でき、メンテナンス性の良いダクトファンを提供することができる。
【００４４】
なお前記吹出空気室２１において、前記ファン吐出口１６から前記機体吹出口板１８までの空気室距離３７は、前記ファン吐出口中心２５と前記吹出空気室中心２６の中心距離３６に対して大きいことが望ましい。
【００４５】
（実施の形態２）
実施の形態２は、実施の形態１に対して、複数の前記第一の機体吹出口２を上下２段に配列し、前記ファン吐出口隔壁１７を傾斜させた構成にしている点が異なっている。
【００４６】
図４は本発明の実施の形態２の側面透視図であり、図１〜図３と同じ構成要素については同じ符号を用い、その説明を省略する。
【００４７】
図４に示すように、前記機体３の前記機体吹出口板１８に複数の前記第一の機体吹出口２を上下２段に配列し、前記片吸込型送風機９の前記ファン吐出口１６に近く位置する上段の第一の機体吹出口３８の数を、他方の下段の第一の機体吹出口３９の数より多くしている。また、前記ファン吐出口隔壁１７を前記吹出空気室２１の断面積が前記第一の機体吹出口２に向かって拡大する方向に傾斜させて形成している。
【００４８】
上記構成においてダクトファンを運転すると、前記ファン吐出口１６から吹き出される前記主吐出気流３２は、前記片吸込型送風機９が前記下段の第一の機体吹出口３９よりも前記上段の第一の機体吹出口３８に偏って配置されているため、前記上段の第一の機体吹出口３８に配分される合計風量は多いが、前記上段の第一の機体吹出口３８の数を、他方の前記下段の第一の機体吹出口３９の数より多くしているため、複数の前記第一の機体吹出口２の一部に気流が片寄ることでの圧力損失を発生することなく、前記第一の機体吹出口２からはおのおの均等に配分送風することが可能なダクトファンを提供することができる。
【００４９】
また、前記ファン吐出口隔壁１７を前記吹出空気室２１の断面積が前記第一の機体吹出口２に向かって拡大する方向に傾斜させているため、前記下段の第一の機体吹出口３９に気流が流れやすくなり、吹き出し部分の抵抗を少なくでき、風量を確保することができる。
【００５０】
なお一般住宅の居室数は５室であるため、前記第一の機体吹出口２の合計数は５個とし、前記上段の第一の機体吹出口３８の数を３個、他方の前記下段の第一の機体吹出口３９の数を２個とすることが望ましい。
【００５１】
（実施の形態３）
実施の形態３は、実施の形態１に対して、前記ファン吐出口隔壁１７を傾斜させた構成にしている点が異なっている。
【００５２】
図５は本発明の実施の形態３の側面透視図であり、図１〜図４と同じ構成要素については同じ符号を用い、その説明を省略する。
【００５３】
図５に示すように、前記ファン吐出口隔壁１７を前記ファン吸込口１１に向かうに従って下方に傾斜させて形成している。
【００５４】
上記構成においてダクトファンを運転すると、前記ファン吐出口隔壁１７を前記ファン吸込口１１に向かうに従って下方に傾斜させて形成しているため、前記ファン吸込口１１前の吸い込み気流が前記ファン吐出口隔壁１７に誘導され、前記羽根車１２の中心軸の方向に空気を吸い込み易く、吸い込み部分の抵抗を少なくでき、風量を確保することが可能なダクトファンを提供することができる。
【００５５】
（実施の形態４）
図６は本発明の実施の形態４の平面透視図であり、図１〜図５と同じ構成要素については同じ符号を用い、その説明を省略する。
【００５６】
図６に示すように、前記片吸込型送風機９のスクロ−ル２７の反舌部側平坦部４０を、前記機体吸込口１から前記第一の機体吹出口２までを結ぶ前記横面板２０と一体で形成している。
【００５７】
上記構成において、前記片吸込型送風機９の前記スクロ−ル２７は前記反舌部側平坦部４０部分の長さが短縮できるため、前記スクロ−ル２７の材料を削減することが可能なダクトファンを提供することができる。
【００５８】
（実施の形態５）
図７は本発明の実施の形態５の平面透視図であり、図１〜図６と同じ構成要素については同じ符号を用い、その説明を省略する。
【００５９】
図７に示すように、前記横面板２０上の前記吹出空気室２１に面する部分に第二の機体吹出口４１を配し、前記第二の機体吹出口４１は前記第一の機体吹出口２に対し大きい開口面積とし、前記第二の機体吹出口４１を通る風量は複数の前記第一の機体吹出口２を通る合計風量と略同等としている。前記第二の機体吹出口４１は一般住宅において台所に連通し、前記第一の機体吹出口２は寝室等その他の居室に連通し使用される。
【００６０】
上記構成においてダクトファンを運転すると、前記第二の機体吹出口４１を通る風量は複数の前記第一の機体吹出口２を通る合計風量より多いため、前記第二の機体吹出口４１を一般住宅の台所に連通した際、風量の大きい台所のレンジフードファンの排気風量に応じて、寝室等その他の居室への風量よりも大風量の給気が可能となり、給気と排気の換気バランスを均等にすることが可能なダクトファンを提供することができる。
【００６１】
なお前記第二の機体吹出口４１の面積は、複数の前記第一の機体吹出口２の合計面積と同等となる大きさに設定することが望ましい。
【００６２】
（実施の形態６）
図８は本発明の実施の形態６の平面透視図であり、図１〜図７と同じ構成要素については同じ符号を用い、その説明を省略する。
【００６３】
図８に示すように、前記ファン吐出口隔壁１７に前記スクロ−ル２７の前記舌部２４から前記横面板２０の間で曲折部４２を設け、前記ファン吐出口隔壁１７を前記吹出空気室２１の断面積が前記第二の機体吹出口４１に向かって拡大する方向としている。
【００６４】
上記構成においてダクトファンを運転すると、前記ファン吐出口隔壁１７には前記吹出空気室２１の断面積が前記第二の機体吹出口４１に向かって拡大する方向に前記曲折部４２を設けているため、前記ファン吐出口１６の吐出気流が前記第二の機体吹出口４１に誘導され、吹き出し部分の抵抗を少なくでき、風量を確保することが可能なダクトファンを提供することができる。
【００６５】
（実施の形態７）
図９は本発明の実施の形態７の平面透視図であり、図１〜図８と同じ構成要素については同じ符号を用い、その説明を省略する。
【００６６】
図９に示すように、前記吹出空気室２１の内面に吸音材４３を有している。
【００６７】
上記構成においてダクトファンを運転すると、前記片吸込型送風機９から発生する騒音は、前記吹出空気室２１の内面の前記吸音材４３により吸音されるため、低騒音なダクトファンを提供することができる。
【産業上の利用可能性】
【００６８】
一般住宅の給気換気以外に、機体吹出口からの送風を用いて設備機器の冷却ができ、気流の圧力損失を少なくし風量を確保することで冷却効果が高く、薄型コンパクトに設置できる設備機器の送風の用途にも適用できる。
【図面の簡単な説明】
【００６９】
【図１】本発明の実施の形態１のダクトファンの側面透視図
【図２】同ダクトファンの平面透視図
【図３】同ダクトファンの設置状態を示す側面図
【図４】本発明の実施の形態２のダクトファンの側面透視図
【図５】本発明の実施の形態３のダクトファンの側面透視図
【図６】本発明の実施の形態４のダクトファンの平面透視図
【図７】本発明の実施の形態５のダクトファンの平面透視図
【図８】本発明の実施の形態６のダクトファンの平面透視図
【図９】本発明の実施の形態７のダクトファンの平面透視図
【図１０】従来のダクトファンの側面透視図
【図１１】同ダクトファンの平面透視図
【図１２】同ダクトファンの設置状態を示す側面図
【符号の説明】
【００７０】
１    機体吸込口
２    第一の機体吹出口
３    機体
８    流路
９    片吸込型送風機
１０  空気清浄フィルター
１１  ファン吸込口
１３  モーター
１４  反モーター側のファンケーシング側板
１５  天面板
１６  ファン吐出口
１７  ファン吐出口隔壁
２０  横面板
２１  吹出空気室
２４  舌部
２７  スクロール
３８  上段の第一の機体吹出口
３９  下段の第一の機体吹出口
４０  反舌部側平坦部
４１  第二の機体吹出口
４２  曲折部
４３  吸音材
【図１】
0004779554.tif 000002
【図２】
0004779554.tif 000003
【図３】
0004779554.tif 000004
【図４】
0004779554.tif 000005
【図５】
0004779554.tif 000006
【図６】
0004779554.tif 000007
【図７】
0004779554.tif 000008
【図８】
0004779554.tif 000009
【図９】
0004779554.tif 000010
【図１０】
0004779554.tif 000011
【図１１】
0004779554.tif 000012
【図１２】
0004779554.tif 000013